(57)【要約】      （修正有）【課題】外部への飛沫の漏れを防ぐことができるメガホン構造を提供する。【解決手段】メガホン構造は、円錐状の筒からなるメガホン本体２と、メガホン本体の基端側で小径部となる口当て部３と、使用者の発声に伴う飛沫をメガホン本体から外へ流出させず、または飛沫中のウイルスを不活性化させる抗菌／抗ウイルスフィルターからなる飛沫対策部５を設けて構成される。【選択図】図１
0003231344.tif 000002
【実用新案登録請求の範囲】
【請求項１】
円錐状の筒からなるメガホン本体と、メガホン本体の基端側で小径部となる口当て部と、使用者の発声に伴う飛沫をメガホン本体から外へ流出させず、または飛沫中のウイルスを不活性化させる飛沫対策部を設けてなることを特徴とするメガホン構造。
【請求項２】
飛沫対策部が、飛沫防止用の抗菌・抗ウイルスフィルターからなっていることを特徴とする請求項１に記載のメガホン構造。
【請求項３】
口当て部には、この口当て部と連通し、メガホン本体使用時の使用者の発声に伴い使用者の口及び鼻から流出する飛沫の外部への流出を抑える密閉縁部を備えたマスク部を一体または着脱自在に有していることを特徴とする請求項１または２に記載のメガホン構造。
【考案の詳細な説明】
【技術分野】
【０００１】
本考案は、飛沫対策部を備えたメガホン構造に関する。
【背景技術】
【０００２】
従来、メガホンに飛沫を遮断し、または飛沫のウイルスを不活性化させる飛沫対策部を設けたメガホンは存在しなかった。
メガホンとしては、特開平１０−９１１６８号に、メガホン本体の外周面の手でたたきやすい位置に、叩くことによって発音する笛を複数個装着し、上記笛の発音が拡声部を通して出るようにした笛付きメガホンが開示されている。
また、特開２００５−２６３０５１号には、レギュレータによる空気供給を受けることが可能であって、ダイバーの口部前方にメガホンを設けた水中マスクにおいて、前記メガホンが、中空の拡声筒と、該拡声筒の外部の開口部縁端に、ホルダ枠を介して設けられ、且つ水を振動させて、他の潜水者に意思を通達する振動板から構成されることを特徴とする、水中通話用マスクが開示されている。
しかし、上記の構成ではメガホン使用者の声援などの発声時に発生する飛沫を防止する構成は提案されていない。
【先行技術文献】
【特許文献】
【０００３】
【特許文献１】特開平１０−９１１６８号公報
【特許文献２】特開２００５−２６３０５１号公報
【考案の概要】
【考案が解決しようとする課題】
【０００４】
この考案が解決しようとする問題点は、新型コロナウイルスによるコロナ禍において、コンサートやスポーツ観戦等の会場でのメガホンの使用は禁止されているが、これは、メガホンの使用者の発声に伴いウイルスの飛沫が外部に拡散するおそれがあるためであった。
この考案では上記飛沫対策に対応することで、外部へ飛沫が漏れないようにして、前記会場内で使用することができるメガホンを提供することにある。
【課題を解決するための手段】
【０００５】
本考案は、上記課題を解決するために、請求項１の考案では、
円錐状の筒からなるメガホン本体と、メガホン本体の基端側で小径部となる口当て部と、使用者の声援などの発声に伴う飛沫をメガホン本体から外部へ流出させず、または飛沫中のウイルスを不活性化させる飛沫対策部を設けてなることを特徴とする。
請求項２の考案では、
前記飛沫対策部が、飛沫防止用の抗菌・抗ウイルスフィルターからなっていることを特徴とする。
請求項３の考案では、
前記口当て部がこの口当て部と連通し、メガホン本体使用時の使用者の発声に伴い使用者の口及び鼻から流出する飛沫の外部への流出を抑える密閉縁部を備えたマスク部を一体または着脱自在に有してなることを特徴とする。
【考案の効果】
【０００６】
本考案のメガホン構造は、使用者がメガホン本体を使用する際に使用者の声を拡声すると共に、メガホン本体を通る使用者の発声に伴う飛沫を飛沫対策部によって防止することができる。
また、飛沫対策部は、飛沫をメガホンより外部へ漏れ出さないようにする飛沫防止用の抗菌・抗ウイルスフィルターであることが好ましい。
前記口当て部には、この口当て部と連通し、メガホン本体使用時の使用者の発声に伴い使用者の口及び鼻から流出する飛沫の外部への流出を抑える密閉縁部を備えたマスク部を一体または着脱自在に有していることが好ましい。
【図面の簡単な説明】
【０００７】
【図１】メガホンの一例を示す斜視図である。
【図２】マスク部の一例を示す斜視図である。
【図３】異なる実施例のマスク部を示す斜視図である。
【考案を実施するための形態】
【０００８】
以下に本考案のメガホン構造について説明する。
【実施例１】
【０００９】
［メガホン構造］
この考案のメガホン構造１は、図１に示すように、円錐状の筒からなるメガホン本体２と、メガホン本体２の基端側の小径となる口当て部３と、この口当て部３に連設されると共に使用者の口及び鼻を覆って使用者の発声に伴う飛沫の漏洩を防止するマスク部４とを有し、前記メガホン本体２またはマスク部４に前記使用者の発声に伴う飛沫を防止するフィルター５を内蔵した構造からなっている。
【００１０】
［メガホン本体］
メガホン本体２は、円錐状の筒形状からなっている。
本実施例では、音響的に指向性と声の通りやすさを向上させるものであるが、電子回路で増幅する機構を含んでいてもよい。
また、メガホン本体２は一体のものであるが、テレスコープ型で伸縮する構造や、組み立て式の構造などであってもよい。
【００１１】
［口当て部］
口当て部３は、小径となっておりメガホン本体２の基端に形成されて声の通る上流側となっている。
口当て部３から声と共に飛沫がメガホン本体２に入ると、メガホン本体２の大径側へ向かって流れていく。
【００１２】
［飛沫対策部］
そこで、メガホン本体２には、上記使用者の発声時の飛沫の流れの途中に、飛沫対策部５が設けられている。
飛沫対策部５は、メガホン本体２に一体に形成されるものでもよいが、着脱可能な構造とすることで交換が可能となる。
本実施例で飛沫対策部５は、飛沫防止用の抗菌・抗ウイルスフィルター５’を用いているが、飛沫を吸着しまたは流れを遮断すると共に、声は通過させるフィルタをメガホン本体２に備えていればよい。
【００１３】
上記抗菌・抗ウイルスフィルター５’はメガホン本体２に固定するものであってもよいし、交換可能に装着するものでもよい。
また、抗菌・抗ウイルスフィルター５’に変えて、飛沫をメガホン本体２の内壁面に付着させたり、ウイルスを不活性化する光触媒物質を塗布、塗工させたり、光線を照射させるような飛沫対策を施してもよい。
【実施例２】
【００１４】
実施例２のメガホン構造１は、口当て部３に一体にまたは着脱可能にマスク部６が取り付けられている。
［マスク部］
メガホン本体２には飛沫対策部５が設けられており、相応の効果を奏することができるが、口当て部３からメガホン本隊２に入らず外に漏れる飛沫に対しては十分な保護ができない場合がある。
即ち、口当て部３から逸れたり漏れたりしてメガホン本体２に入れず、外へ漏れる飛沫や、使用者の鼻から漏れる飛沫については、前記飛沫対策部５では対応できない。
【００１５】
そこで、前記口当て部３と連通し、メガホン本体２使用時の使用者の発声に伴い使用者の口及び鼻から流出する飛沫の外部への流出を抑えるマスク部６を一体または着脱可能に取り付けることが好ましい。
上記マスク部６は、紙、不織布や布やシリコン、ラバーその他の合成樹脂であってもよく素材を限定するものではない。
【００１６】
また、形状は、公知のマスク形状であってもよい。
マスク部６の種類としては、家庭用マスク、医療用マスク、産業用マスクのいずれでもよい。
また、形状は、平形、プリーツ型、立体型などの公知形状を用いることができる。
【００１７】
マスク部６は、口当て部３と連通する開口部７を有しており、使用者の声を口当て部３からメガホン本体２に送り込むことができる。
開口部７は、例えばマスク部６の中央に口当て部３を挿入するためのスリット７ａからなって、該スリット７ａが塞がるようにスリットの周縁が重なりあってスリット７ａを塞ぎ、口当て部３を挿入してもその他の個所には隙間が生じないようにすることが好ましい（図３参照）。
【００１８】
また、開口部７はマスク部６の前方中央で突出してマスク部６と連通する筒部７ｂからなっており、該筒部７ｂを口当て部３に嵌合して連結し、マスク部６の内部から筒部１ｂを介して口当て部３に声を送るようにしてもよい（図２参照）。
【００１９】
また、マスク部６は、マスク本体の素材によって、飛沫の外部への流出を阻止することができるが、マスク部６の外周に沿って環状の密着縁部８を備えていてもよい。
【００２０】
該密着縁部８は、使用者の口と鼻とを一連に囲んで略隙間無く覆うもので、メガホン本体２に声を送る時に、メガホン本体２から外れた飛沫をマスク部６内に留めてマスクの外部へ飛沫を確実に飛ばさないようにすることができる。
また、使用者の鼻から漏れた飛沫も同様にマスク部６内に留めてマスクの外部へ直接に飛沫を飛ばさないようにすることができる。
【００２１】
本実施例では、口当て部３とマスク部６とが別体に形成されることでメガホン本体２とマスク部４との素材は異なる素材を用いることができ、両者は着脱可能に連結されるものでも、一体的に接着されているものでもよい。
あるいは、口当て部３とマスク部６とが一体に形成されていてもよい。
【００２２】
このマスク部６は使用者の頭部に取り付けるためのバンドを設けてもよい。
また、メガホン本体２は手で直接保持してもよいし、保持用のストラップやアームを設けてもよい。
ここで、マスク部６のバンドとメガホン本体のストラップとは兼用可能とすれば構成を簡略化することができる。
その他、要するにこの考案はその要旨を変更しない範囲で種々設計変更することができる。
【符号の説明】
【００２３】
１    メガホン構造
２    メガホン本体
３    口当て部
５    飛沫対策部
６    マスク部
７    開口部
７ａ  スリット
７ｂ  筒部
８    密着縁部
【図１】
0003231344.tif 000003
【図２】
0003231344.tif 000004
【図３】
0003231344.tif 000005
【手続補正書】
【提出日】令和3年1月20日(2021.1.20)
【手続補正１】
【補正対象書類名】実用新案登録請求の範囲
【補正対象項目名】全文
【補正方法】変更
【補正の内容】
【実用新案登録請求の範囲】
【請求項１】
円錐状の筒からなるメガホン本体と、メガホン本体の基端側で小径部となる口当て部と、使用者の発声に伴う飛沫をメガホン本体から外へ流出させず、または飛沫中のウイルスを不活性化させる飛沫対策部を設けてなり、
該飛沫対策部が、飛沫防止用の抗菌・抗ウイルスフィルターからなっていることを特徴とするメガホン構造。
【請求項２】
口当て部には、この口当て部と連通し、メガホン本体使用時の使用者の発声に伴い使用者の口及び鼻から流出する飛沫の外部への流出を抑える密閉縁部を備えたマスク部を一体または着脱自在に有していることを特徴とする請求項１に記載のメガホン構造。
【手続補正２】
【補正対象書類名】明細書
【補正対象項目名】０００５
【補正方法】変更
【補正の内容】
【０００５】
本考案は、上記課題を解決するために、請求項１の考案では、
円錐状の筒からなるメガホン本体と、メガホン本体の基端側で小径部となる口当て部と、使用者の声援などの発声に伴う飛沫をメガホン本体から外部へ流出させず、または飛沫中のウイルスを不活性化させる飛沫対策部を設けてなり、
該飛沫対策部が、飛沫防止用の抗菌・抗ウイルスフィルターからなっていることを特徴とする。
請求項２の考案では、
前記口当て部がこの口当て部と連通し、メガホン本体使用時の使用者の発声に伴い使用者の口及び鼻から流出する飛沫の外部への流出を抑える密閉縁部を備えたマスク部を一体または着脱自在に有してなることを特徴とする。
【手続補正３】
【補正対象書類名】明細書
【補正対象項目名】００１２
【補正方法】変更
【補正の内容】
【００１２】
［飛沫対策部］
そこで、メガホン本体２には、上記使用者の発声時の飛沫の流れの途中に、飛沫対策部５が設けられている。
飛沫対策部５は、メガホン本体２に一体に形成されるものでもよいが、着脱可能な構造とすることで交換が可能となる。
本考案で飛沫対策部５は、飛沫防止用の抗菌・抗ウイルスフィルター５’を用いており、飛沫を吸着しまたは流れを遮断すると共に、声は通過させるフィルタをメガホン本体２に備えていればよい。